(57)【要約】【課題】マンションの居住者に対し、エレベータを利用して居住階床に到着するまで安心して移動できるエレベータの防犯システムを提供する。【解決手段】マンション居住者3のうちの希望登録した防犯監視登録者が乗客すると、乗りかご6を自動で玄関階に呼び寄せ、防犯監視登録者記憶部14Bに登録されている防犯監視登録者の階床信号を自動でかご呼び登録して、乗りかご6を防犯監視登録者の住居階床まで運行し、乗りかご運行中の監視カメラ8の映像を防犯監視登録者専用の防犯監視画面19Bとして表示する。【選択図】図１
2016011181.tif 000002
【特許請求の範囲】
【請求項１】
乗りかご内を監視する監視カメラと、
集合住宅の居住者であることを照合する居住者照合装置と、
前記居住者の認証情報を記憶する認証情報記憶部、及び防犯監視を希望する居住者を防犯監視登録者として登録した者の認証情報と当該防犯監視登録者が居住する前記集合住宅の階床に該当する階床信号を記憶する防犯監視登録者記憶部を有する端末装置と、
前記乗りかごを玄関階に呼び寄せる玄関階呼び寄せ指令部、及び所望の階床のかご呼び登録を行うかご呼び登録指令部を有するエレベータ運行制御装置と、
前記監視カメラの映像を記録する記録部、及び前記記録部に記録された映像を再生表示する表示部を有する監視装置を備えたエレベータの防犯システムであって、
乗客の照合による前記居住者照合装置からの検出信号と、前記認証情報記憶部に記憶されている認証情報の一致で前記乗客が前記集合住宅の居住者であり、さらに前記乗客が前記防犯監視登録者記憶部に記憶されている前記防犯監視登録者であることを前記端末装置で認証すると、
前記玄関階呼び寄せ指令部により玄関階呼びを自動登録して前記乗りかごを前記玄関階に呼び寄せ、前記乗りかごが玄関階に到達した後、前記かご呼び登録指令部により前記防犯監視登録者記憶部に記憶されている前記防犯監視登録者の階床信号をかご呼び登録信号として自動登録して、前記乗りかごを登録した住居階床まで運行し、
前記防犯監視登録者が乗り込んだ当該乗りかごの運行中における前記監視カメラの映像を前記記録部で記録し、記録した映像を前記防犯監視登録者専用の防犯監視画面として前記表示部で表示し、
前記乗りかごが前記防犯監視登録者の住居階床に到達した後、前記玄関階呼び寄せ指令部を再起動して前記乗りかごを前記玄関階に戻して、前記表示部による防犯監視画面の表示を完了するように制御する
ことを特徴とするエレベータの防犯システム。
【請求項２】
請求項１に記載のエレベータの防犯システムにおいて、
前記集合住宅に複数の前記監視カメラが設置され、
前記表示部の画面を複数に分割して表示する通常監視画面と画面を分割しないで表示部の全画面を前記防犯監視画面に切り替える表示制御部が前記監視装置に設けられ、
前記乗りかごに前記防犯監視登録者が乗客しないときは、前記表示制御部により前記表示部の画面は前記通常監視画面になり、複数に分割された前記画面に複数の前記監視カメラの映像がそれぞれ表示され、
前記乗りかごに前記防犯監視登録者が乗客すると、前記表示制御部により前記通常監視画面から前記防犯監視画面に切り替えて表示するように制御する
ことを特徴とするエレベータの防犯システム。
【請求項３】
請求項１または２に記載のエレベータの防犯システムにおいて、
各階床に設けられているかご位置と前記乗りかごの昇降方向を表示するインジケータの表示を指令するインジケータ表示指令部を前記エレベータ運行制御装置に設け、
防犯動作指令信号を出力する防犯動作指令部を前記端末装置に設けて、
前記防犯動作指令部からの防犯動作指令信号に基づいて、前記インジケータ表示指令部により各階床の前記インジケータの表示灯を点滅表示させ、
前記乗りかごが前記防犯監視登録者の住居階床に到達した後に前記乗りかごを玄関階に戻して、前記インジケータ表示指令部による各階床のインジケータの点滅表示を完了させるように制御する
ことを特徴とするエレベータの防犯システム。
【請求項４】
請求項１ないし３のいずれか１項に記載のエレベータの防犯システムにおいて、
前記集合住宅に入退館時以外は施錠して入退館時にその施錠を解除して入退館を可能にする自動ドアが設けられ、
前記自動ドアの集合住宅外側に前記居住者照合装置が設置され、
前記自動ドアの開き動作を指令する自動ドア開指令部が前記端末装置に設けられ、
前記居住者照合装置と前記認証情報記憶部により前記乗客が前記集合住宅の居住者であることを前記端末装置で認証すると、前記自動ドア開指令部により前記自動ドアを開放して前記居住者の前記集合住宅への入館を可能にするように制御する
ことを特徴とするエレベータの防犯システム。
【発明の詳細な説明】
【技術分野】
【０００１】
本発明は、集合住宅におけるエレベータの防犯システムに関する。
【背景技術】
【０００２】
近年、ストーカによる犯罪が増加し、集合住宅であるマンションに居住する女性、幼児あるいは高齢者などに対するセキュリティ強化のため、エレベータの乗りかご内に設置した監視カメラの映像を記録し、有事にそれを再生して犯罪者を特定したり、監視カメラの設置で犯罪を予防することが行われている(従来技術１)。
【０００３】
また、マンションの玄関に設けられているカードリーダで、マンションの居住者であることを特定する認証コードを記憶した認証カードの認証コードを読み取り、認証コードによってマンションの居住者か否かを識別する。そして居住者であることを確認すると、自動ドアの施錠を解除してマンション内への入館を許可する。
【０００４】
更に、読み込んだ認証コードに該当する居住者の居住階床のかご呼びを登録して、その他の呼び登録を受け付けないエレベータの呼び登録制御を実行する。これによりエレベータの乗りかごに他の乗客が同乗することがなく、居住階床まで一人で移動できるようにしたエレベータの防犯方法が提案されている(従来技術２  特許文献１参照)。
【先行技術文献】
【特許文献】
【０００５】
【特許文献１】特許第４５９２３０１号公報
【発明の概要】
【発明が解決しようとする課題】
【０００６】
前記従来技術１は、犯罪発生後に記録した監視カメラの映像を再生して犯罪者を特定するだけであり、犯罪発生時に乗りかご内に同乗者が居る場合、予防効果はあるものの犯罪発生時の即応性に欠け、また、犯罪発生時に同乗者に精神的な不安を与える。
【０００７】
また、前記従来技術２(特許文献１)は、居住者の認証カードを読み込んで、認証カードの認証コードと予め記憶されている居住者登録の認証コードが一致したとき、自動的にその他の呼び登録を禁止して、エレベータの乗りかごに他の乗客が同乗することがなく、居住階床まで一人で移動できるようにしているので、エレベータの運転効率が悪い。
なお、この特許文献１では、居住者が居住階床まで移動する間(防犯監視中) の監視装置における防犯監視画面については特別に配慮されていない。
【０００８】
本発明の目的は、マンションの居住者、特に防犯監視登録者に対し、エレベータを利用して居住階床に到着するまで安心して移動でき、また、エレベータの運転効率の低下を極力抑制できるエレベータの防犯システムを提供することにある。
【課題を解決するための手段】
【０００９】
前記目的を達成するために本発明は、乗りかご内を監視する監視カメラと、集合住宅の居住者であることを照合する居住者照合装置と、前記居住者の認証情報を記憶する認証情報記憶部、及び防犯監視を希望する居住者を防犯監視登録者として登録した者の認証情報と当該防犯監視登録者が居住する前記集合住宅の階床に該当する階床信号を記憶する防犯監視登録者記憶部を有する端末装置と、前記乗りかごを玄関階に呼び寄せる玄関階呼び寄せ指令部、及び所望の階床のかご呼び登録を行うかご呼び登録指令部を有するエレベータ運行制御装置と、前記監視カメラの映像を記録する記録部、及び前記記録部に記録された映像を再生表示する表示部を有する監視装置を備えたエレベータの防犯システムであって、
乗客の照合による前記居住者照合装置からの検出信号と、前記認証情報記憶部に記憶されている認証情報の一致で前記乗客が前記集合住宅の居住者であり、さらに前記乗客が前記防犯監視登録者記憶部に記憶されている前記防犯監視登録者であることを前記端末装置で認証すると、前記玄関階呼び寄せ指令部により玄関階呼びを自動登録して前記乗りかごを前記玄関階に呼び寄せ、前記乗りかごが玄関階に到達した後、前記かご呼び登録指令部により前記防犯監視登録者記憶部に記憶されている前記防犯監視登録者の階床信号をかご呼び登録信号として自動登録して、前記乗りかごを登録した住居階床まで運行し、前記防犯監視登録者が乗り込んだ当該乗りかごの運行中における前記監視カメラの映像を前記記録部で記録し、記録した映像を前記防犯監視登録者専用の防犯監視画面として前記表示部で表示し、前記乗りかごが前記防犯監視登録者の住居階床に到達した後、前記玄関階呼び寄せ指令部を再起動して前記乗りかごを前記玄関階に戻して、前記表示部による防犯監視画面の表示を完了するように制御することを特徴とする。
【発明の効果】
【００１０】
本発明によれば、マンションの居住者、特に防犯監視登録者に対し、エレベータを利用して居住階床に到着するまで安心して移動でき、また、エレベータの運転効率の低下を極力抑制できるエレベータの防犯システムを提供することができる。
【図面の簡単な説明】
【００１１】
【図１】本発明の実施形態に係るエレベータの防犯システムの要部構成を示すブロック図である。
【図２】その防犯システム内における端末装置の動作を説明するフローチャートである。
【図３】その防犯システム内におけるエレベータ運行制御装置の動作を説明するフローチャートである。
【図４】その防犯システム内における監視装置の動作を説明するフローチャートである。
【発明を実施するための形態】
【００１２】
以下、本発明のエレベータの防犯システムの一実施形態を図に基づいて説明する。図１は、本発明の実施形態に係る集合住宅(マンション)におけるエレベータの防犯システムの要部構成を示すブロック図である。
【００１３】
図１に示すように、マンション１には、入退館時以外は施錠して入退館時にその施錠を解除して開閉する自動ドア２と、その自動ドア２のマンション外側に設置されて居住者３が入館時に使用する認証カード４から認証コードを読み取るカードリーダ５と、昇降路(図示せず)を昇降する乗りかご６と、各階のエレベータ乗場(図示せず)に設けられて乗りかご６への出入れを行う三方枠７などが設けられている。
【００１４】
また、監視カメラ８が乗りかご６の出入り口側を向くように乗りかご６の天井部に設けられ、各階の三方枠７の上部には階床を示す数値の点灯により乗りかご６の位置と乗りかご６の昇降方向を表示するインジケータ９が設けられている。
【００１５】
マンション１には、自動ドア２の開閉駆動装置(図示せず)ならびにカードリーダ５にそれぞれ接続される、端末装置１０と、乗りかご６の運行を制御するエレベータ運行制御装置１１と、カードリーダ５で読み取った認証コードの記憶、監視カメラ８の映像記録や再生を行う監視装置１２が設けられている。
【００１６】
マンション１内に複数台のエレベータが設置されている場合、端末装置１０とエレベータ運行制御装置１１はそれぞれエレベータに対応して設けられ、監視装置１２は例えばマンション１内の管理人室に１台設けられている。端末装置１０とエレベータ運行制御装置１１と監視装置１２は、図１に示すように夫々が有している通信部１０Ａ，１１Ａ，１２Ａを介して相互に接続されている。
【００１７】
この実施形態の場合は監視装置１２がマンション１内に設けられているが、本発明はこれに限定されるものではなく、後述のように監視装置１２をマンション１以外の所に設置して、監視装置１２と、カードリーダ５、端末装置１０、エレベータ運行制御装置１１などを通信可能に接続する場合も含む。
【００１８】
端末装置１０は、通信部１０Ａと端末制御部１３と記憶部１４と自動ドア開指令部１５を有し、各部は図に示すような接続関係になっている。
記憶部１４は、認証コード記憶部１４Ａと防犯監視登録者記憶部１４Ｂを有している。
認証コード記憶部１４Ａは、居住者全員に配布した認証カード４の認証コードを全て記憶している。また、認証コードの他に、認証カード４を所有する居住者３の氏名、居室番号、居住階床なども記憶している。
【００１９】
防犯監視登録者記憶部１４Ｂには、防犯監視を特別に希望する居住者３の認証コードが記憶されて、それにより防犯監視登録者として特定されている。この防犯監視登録者への登録は、例えば女性、幼児あるいは高齢者などがエレベータを利用する際のセキュリティ強化に特に必要であり、防犯監視登録をした居住者３は、マンション１に入館してから自分の居住階床に到達するまでの間、監視カメラ８と監視員 (図示せず)による防犯監視が実施される。
【００２０】
端末制御部１３は、通常動作指令部１３Ａと防犯動作指令部１３Ｂを有している。  
通常動作指令部１３Ａは、カードリーダ５から取得した認証コード(検出信号)が認証コード記憶部１４Ａに存在して、かつ防犯監視登録者記憶部１４Ｂに防犯登録(防犯設定)されていない場合、居住者３に対する後述の通常動作をエレベータ運行制御装置１１と監視装置１２に指令する機能を有している。  
なお、通常動作指令部１３Ａは、通常動作の指令信号と同時に認証コードに対する居住者３の階床信号 (階床データ)も送信する。
【００２１】
防犯動作指令部１３Ｂは、カードリーダ５から取得した認証コードが認証コード記憶部１４Ａに存在し、かつ防犯監視登録者記憶部１４Ｂに防犯登録されている場合、認証カード４の所有者が防犯監視を特別に希望する居住者３と判断して、後述する防犯動作をエレベータ運行制御装置１１と監視装置１２に指令する機能を有している。
なお、防犯動作指令部１３Ｂは、防犯動作の指令信号と同時に認証コードに対する居住者３の階床信号も送信する。
【００２２】
自動ドア開指令部１５は、通信部１０Ａを介して取得した認証カード４の認証コードが認証コード記憶部１４Ａに存在している場合、自動ドア２の開閉駆動装置にドア開信号を送信する機能を有している。
【００２３】
エレベータ運行制御装置１１は、通信部１１Ａと、各種プログラムを格納した記憶部１１Ｂと、そのプログラムに従って乗りかご６の運行を制御するかご運行制御部１６を有して、各部は図に示すような接続関係になっている。
【００２４】
かご運行制御部１６は、玄関階呼び寄せ指令部１６Ａと、かご呼び登録指令部１６Ｂと、インジケータ表示指令部１６Ｃを有している。
玄関階呼び寄せ指令部１６Ａは、端末装置１０から通信部１１Ａを介して通常動作と防犯動作の何れかの指令信号を受信すると、乗りかご６をマンション１の玄関階に呼び寄せる指令信号を発信するものである。
【００２５】
かご呼び登録指令部１６Ｂは、認証コードに対する居住者３の階床信号に基づいて、乗りかご６に設けられているかご呼び釦(図示せず)の押圧で登録されるかご呼び登録と同等なかご呼び登録信号を出力するものである。
【００２６】
インジケータ表示指令部１６Ｃは、端末装置１０から通信部１１Ａを介して防犯動作の指令信号を受信し、かご呼び登録指令部１６Ｂからかご呼び登録信号を出力すると、各階に設けられているインジケータ９の表示灯を点滅させるものである。
【００２７】
またかご運行制御部１６は、かご呼び登録指令部１６Ｂから出力されるかご呼び登録信号に対する乗りかご６の応答が全て完了すると、再び玄関階呼び寄せ指令部１６Ａを起動して乗りかご６を玄関階に呼び寄せる。
そして乗りかご６が玄関階に到着すると、通信部１１Ａを介して監視装置１２に防犯動作完了信号を出力すると共に、インジケータ９の表示灯の点滅動作を完了させるようにインジケータ表示指令部１６Ｃを起動する。
【００２８】
監視装置１２は、通信部１２Ａと監視制御部１７と記録部１８と表示部１９を有して、各部は図に示すような接続関係になっている。
監視制御部１７は、監視装置１２に設けられている各部の制御を行うためのものであり、内部に表示制御部１７Ａを有している。記録部１８は、通信部１２Ａで受信した各監視カメラ８の映像を記録するものである。
【００２９】
表示部１９は記録部１８に記録されている監視カメラ８の映像を再生表示するもので、内部に設けられている表示制御部１７Ａにより通常監視画面１９Ａと防犯監視画面１９Ｂの切り替え、ならびに後述する複数個の表示エリアでの映像の切り替えができるようになっている。
【００３０】
通常監視画面１９Ａは、マンション１の中には複数台のエレベータが設置されていることがあり、各エレベータの乗りかご６にそれぞれ監視カメラ８が設けられているから、その複数の監視カメラ８が撮影した映像を、表示部１９の画面に設けられた複数個(本実施例では４個)の表示エリアに分割されて映像が同時に表示される。
そして所定時間毎に監視カメラ８の映像の表示位置を順次切り替えることで、全ての監視カメラ８の映像を表示させるようにした監視画面である。
【００３１】
防犯監視画面１９Ｂは、端末装置１０の防犯動作指令部１３Ｂから防犯動作の指令信号を表示制御部１７Ａが受信すると、通常監視画面１９Ａから画面を切り替えて、防犯監視登録者が乗った乗りかご６に設けられた当該監視カメラ８からの映像を表示部１９の全画面に拡大して表示する画面であり、防犯監視登録者専用の監視画面である。
【００３２】
次に端末装置１０、エレベータ運行制御装置１１ならびに監視装置１２の各動作について説明する。図２は、端末装置１０の動作を説明するフローチャートである。
【００３３】
図２に示されているように、最初、ステップ(以下、Ｓと略記する)Ａ１で端末装置１０の端末制御部１３は、マンション１に入館する居住者３が認証カード４をカードリーダ５に翳すことで読み取った認証コードを、通信部１０Ａを介して取得したか否かを判断する。認証コードを取得していなければ (ＳＡ１でＮｏ)、ＳＡ１に戻る。
【００３４】
認証コードを取得すれば(ＳＡ１でＹｅｓ)、その認証コードが認証コード記憶部１４Ａに格納されているか否かの判断が端末制御部１３で行われる(ＳＡ２)。取得した認証コードが格納されていないときは(ＳＡ２でＮｏ)、ＳＡ１に戻る。
【００３５】
取得した認証コードが認証コード記憶部１４Ａに格納されている認証コードであれば(ＳＡ２でＹｅｓ)、端末制御部１３がマンション１への入館を可能と判断し、次のＳＡ３でこの認証コードが防犯監視登録者記憶部１４Ｂに防犯監視登録者として設定されているか否かを端末制御部１３が判断する。
【００３６】
ＳＡ３でこの認証コードが防犯監視登録者記憶部１４Ｂに登録者として設定されていない場合(ＳＡ３でＮｏ)、通常動作指令部１３Ａを起動して発生した通常動作の指令信号と、先に取得した認証コード(認証カード４)を所有する居住者３の階床信号を、通信部１０Ａを介してエレベータ運行制御装置１１と監視装置１２にそれぞれ送信する(ＳＡ４)。
【００３７】
ＳＡ３でこの認証コードが防犯監視登録者記憶部１４Ｂに防犯監視登録者として登録されている場合 (ＳＡ３でＹｅｓ)、防犯動作指令部１３Ｂを起動して発生した防犯動作の指令信号と、先に取得した認証コード(認証カード４)を所有する居住者３の階床信号を、通信部１０Ａを介してエレベータ運行制御装置１１と監視装置１２にそれぞれ送信する(ＳＡ５)。
【００３８】
このようにしてＳＡ４あるいはＳＡ５で各信号を送信すると、端末装置１０は自動ドア開指令部１５を起動して発生したドア開指令信号を、通信部１０Ａを介して自動ドア２の開閉駆動装置に送信し、自動ドア２の施錠を解除して開放し (ＳＡ６)、居住者３の入館を許可する。
【００３９】
図３は、エレベータ運行制御装置１１の動作を説明するフローチャートである。  
図３に示されているように、最初、ＳＢ１でエレベータ運行制御装置１１のかご運行制御部１６は、端末装置１０から出力される通常動作及び防犯動作指令信号と階床信号を、通信部１１Ａを介して受信したか否かを判断し、受信していないと(ＳＢ１でＮｏ)、エレベータを通常運転で運行する(ＳＢ２)。
【００４０】
ここでエレベータの通常運転とは、乗場に設けられている乗場呼び釦の押圧で登録される乗場呼び登録と、乗りかご６内に設けられているかご呼び釦の押圧で登録されるかご呼び登録とで、乗りかご６を運行させる通常の運転モードである。居住者３がマンション１内をエレベータで任意の階床に移動するとき、認証カード４を使わないで、乗場呼び釦やかご呼び釦を押圧して移動することもあるから、この通常運転モードは必要である。
【００４１】
ＳＢ１で通常動作及び防犯動作の指令信号と階床信号を受信すると(ＳＢ１でＹｅｓ)、かご運行制御部１６は玄関階呼び寄せ指令部１６Ａを起動して、乗りかご６を玄関階に呼び寄せる(ＳＢ３)。
【００４２】
また、かご運行制御部１６は、乗りかご６が玄関階に到着したことをセンサー(図示せず)で検出すると、乗りかご６の出入り口を所定時間(本実施形態では３０秒間)開放させる。その所定時間が経過するか、あるいは所定時間経過する前に乗りかご６の出入り口の閉じ釦(図示せず)が押圧されると、かご呼び登録指令部１６Ｂを起動して、ＳＢ１で受信した階床信号をかご呼び登録信号とし(ＳＢ４)、ＳＢ１で受信した信号で防犯動作指令信号の有無を判断する(ＳＢ５)。
【００４３】
防犯動作指令信号の受信が無ければ(ＳＢ５でＮｏ)、ＳＢ４でかご呼び登録指令部１６Ｂが登録したかご呼び登録信号に基づいて、乗りかご６を居住者３の居住階床まで運行させるエレベータ運行指令をかご運行制御部１６が出して(ＳＢ６)、乗りかご６を居住階床まで運行する。
【００４４】
本実施形態では、居住者３が認証カード４をカードリーダ５に翳すだけで、乗場に設けられている乗場呼び釦ならびに乗りかご６内に設けられているかご呼び釦を押圧することなく、乗りかごを玄関階に呼び寄せ、その後に居住者３の居住階床のかご呼び登録を行い、居住者３の居住階床まで乗りかご６を運行する。
【００４５】
ＳＢ５で防犯動作の指令信号が有ると判断された場合(ＳＢ５でＹｅｓ)、かご運行制御部１６は乗場呼び釦の押圧で生じる乗場呼び登録を不能とするとともに、インジケータ表示指令部１６Ｃを起動して、各階のインジケータ９に対して点滅指令信号を出力して各階全部のインジケータ９の表示灯を点滅させる(ＳＢ７)。
そして、ＳＢ４でかご呼び登録指令部１６Ｂが登録したかご呼び登録信号に基づいて、乗りかご６を居住階床まで運行させる(ＳＢ８)。
【００４６】
同じ乗りかご６内に認証カード４を使用した居住者３が複数人同乗する場合が有るので、かご運行制御部１６はＳＢ４で登録した全てのかご呼び登録信号の処理が完了したか否かの判断がなされ(ＳＢ９)、処理が未完了の場合 (ＳＢ９でＮｏ)はＳＢ７からＳＢ９までのステップが繰り返される。
【００４７】
ＳＢ９でかご呼び登録信号に対する乗りかご６の運行が全て完了すると(ＳＢ９でＹｅｓ)、かご運行制御部１６は玄関階呼び寄せ指令部１６Ａを起動して、乗りかご６を玄関階に呼び戻し、乗りかご６が玄関階に到着したことをセンサーで検出すると、かご運行制御部１６はエレベータの防犯動作完了信号を監視装置１２に送信する (ＳＢ１０)。
次にかご運行制御部１６は、インジケータ表示指令部１６Ｃへの点滅指令を停止して、各階に設けられているインジケータ９の表示灯の点滅を完了して消灯する(ＳＢ１１)。
【００４８】
ここで防犯動作とは、居住者３が認証カード４をカードリーダ５に翳すだけで、エレベータの乗場呼び釦ならびにかご呼び釦などに触れることなく、乗りかご６を玄関階に呼び寄せて、居住者３の居住階床のかご呼び登録を行い、インジケータ９の表示灯を点滅させながら居住者３を居住階床まで運び、居住者３の運行が完了して、乗りかご６が玄関階に到着すると、インジケータ９の点滅表示を完了するまでの動作である。
従って、防犯監視登録した居住者３は、通常動作に加えて、居住階床を玄関階の乗場で待機している他の乗客へ知らせることが無いから、防犯に役立ち、安心してエレベータを利用することができる。
【００４９】
図４は、監視装置１２の動作を説明するフローチャートである。
図４に示されているように、最初、ＳＣ１で監視装置１２は、通信部１２Ａで受信した複数の監視カメラ８の映像を記録部１８に録画する。
【００５０】
また、監視制御部１７の表示制御部１７Ａは表示部１９に通常監視画面１９Ａを表示させて(ＳＣ２)、通常監視画面１９Ａの４個の表示エリアに各監視カメラ８の映像を所定時間間隔で順次切り替えて表示させる。このことで監視員は、マンション１内の全体の乗りかご６が映像監視できる。
【００５１】
監視制御部１７は、端末装置１０から出力された通常動作及び防犯動作の指令信号と階床信号を、通信部１２Ａを介して受信した否かを判断し(ＳＣ３)、受信していないと(ＳＣ３でＮｏ)、ＳＣ２に戻り通常監視画面１９Ａの映像表示を継続する。
【００５２】
通常動作及び防犯動作の指令信号と階床信号を受信していると(ＳＣ３でＹｅｓ)、監視制御部１７は、再度、防犯動作の指令信号と階床信号の有無を判断し(ＳＣ４)、防犯動作の指令信号と階床信号の受信が無いと判断した場合(ＳＣ４でＮｏ)、表示制御部１７ＡはＳＣ２の通常監視画面１９Ａによる表示を継続する。
【００５３】
ＳＣ４で防犯動作の指令信号と階床信号の受信が有ると判断した場合(ＳＣ４でＹｅｓ)、監視制御部１７は表示制御部１７Ａに防犯画面表示信号を出力し、表示制御部１７Ａは防犯監視登録者が乗った当該乗りかご６内の状況を撮影している監視カメラ８の映像を、分割しないで表示部１９の全画面に表示させる防犯監視画面１９Ｂに切り替えて表示する(ＳＣ５)。
【００５４】
居住者３(防犯監視登録者)が玄関階から乗りかご６に乗り込んだ映像を、表示部１９の全画面(単独画面)で表示するので、防犯監視画面１９Ｂを見て防犯監視を行う監視員は、乗りかご６内の犯罪を見逃すことなく、迅速な対応ができる。
【００５５】
次に監視制御部１７は、エレベータ運行制御装置１１から防犯動作の完了信号が受信されたか否かを判断して(ＳＣ６)、完了信号の受信が無いと判断した場合(ＳＣ６でＮｏ)、ＳＣ５に戻って防犯監視画面１９Ｂによる表示を継続する。
【００５６】
完了信号の受信が有ると判断した場合(ＳＣ６でＹｅｓ)、監視制御部１７は表示制御部１７Ａに通常画面表示信号を出力し、表示部１９の画面を通常監視画面１９Ａに切り替えて表示するＳＣ２に戻る。
【００５７】
ここで前述した通常動作に関して監視装置１２は、監視員が表示部１９の画面に設けた４個の表示エリアに複数の監視カメラの映像を所定時間間隔で切り替える通常監視画面１９Ａによる監視を行う。
【００５８】
また、前述した防犯動作に関して監視装置１２は、防犯動作を希望している居住者３が乗った乗りかご６内の状況を撮影した当該監視カメラ８の映像を表示部１９の全画面に防犯監視画面１９Ｂとして表示し、監視員はこの防犯監視画面１９Ｂによる監視を行う。
【００５９】
前記実施形態は、監視装置をマンション内に設置する構成で説明したが、監視装置をマンション以外の所(例えば複数のマンションのエレベータを統括して管理するエレベータ管理センターなど)に設置して、マンション内に設置している端末装置ならびにエレベータ運行制御装置と通信回線で接続しても構わない。
【００６０】
前記実施形態は、マンションの自動ドアの付近にカードリーダを設置し、乗りかごが玄関階に到達して所定時間経過して、端末装置から送信される階床信号を受信するとその信号をかご呼び登録信号としたが、マンションの玄関階のエレベータ乗場に乗場用カードリーダを設置し、その乗場用カードリーダに認証カードの認証コードを読み込ませることにより、玄関階に到達した乗りかごの出入り口を開放させると共に、階床信号をかご呼び登録信号として、エレベータを運行させることも可能である。
【００６１】
前記実施形態では、図３のフローチャートにおいて、防犯動作指令信号の受信が無ければ、ＳＢ４でかご呼び登録指令部１６Ｂが登録したかご呼び登録信号に基づいて、乗りかご６を所定の階床まで運行したが、ＳＢ２と同様に、乗場に設けられている乗場呼び釦ならびに乗りかご６内に設けられているかご呼び釦を押圧することで、乗場呼び登録とかご呼び登録を行って、乗りかご６を居住者３の階床まで運行することもできる。
【００６２】
前記実施形態は、認証カードを用いて、それに記憶されている認証コードをカードリーダで読み取る構成になっているが、居住者の指紋を利用して指紋照合装置により居住者の認証を行うなど他の構成の居住者照合装置を用いることも可能である。
【００６３】
本発明では、防犯監視登録者が乗り込んだ乗りかごの運行中における監視カメラの映像を防犯監視登録者専用の防犯監視画面として表示し、表示画面の映像は乗りかごの映像のみとなるので、乗りかご内での犯罪を見逃すことなく、迅速な対応が行え、エレベータを利用して居住階床に到着するまで安心して移動できる。
【００６４】
また、前述のように特許文献１に開示されている防犯方法は、エレベータの乗客が集合住宅の居住者であると、他の者からのかご呼び登録を禁止して、エレベータの乗りかごに他の乗客が同乗することがなく、居住階床まで一人で移動できるようにしている。そのため居住者一人で乗りかごを占有することが多くなり、エレベータの運転効率が悪い。
これに対して本発明は、集合住宅の居住者の中で防犯監視を希望する防犯監視登録者のみに対して防犯を行うとともに、認証カードなどを使用した居住者の乗りかごへの同乗を可能としたので、特許文献１に開示されている防犯方法に比べて防犯を行う割合が相対的に少なくなり、エレベータの運転効率の低下を極力抑制できる。
【００６５】
前記実施形態のように、乗りかごに防犯監視登録者が乗客しないときは、表示部の画面は通常監視画面になり、複数に分割された画面に複数の監視カメラの映像がそれぞれ表示されて、エレベータ全体を監視することができる。また、乗りかごに防犯監視登録者が乗客した場合は、画面を分割しない大きな単独画面の防犯監視画面に切り替えられるから、乗りかご内の犯罪を見逃すことなく、犯罪に対して迅速な対応ができる。
【００６６】
また前記実施形態のように、防犯監視登録者がエレベータを利用して玄関階の乗場から居住階床まで移動する際、インジケータの表示灯を点滅させながら移動し、その点滅表示は、乗りかごが防犯監視登録者の住居階床に到達した後、乗りかごを玄関階に戻してから完了させるので、防犯監視登録者が居住する階床を玄関階の乗場で待機している他の乗客へ知られることがなく、そのため防犯に役立つ。
【００６７】
エレベータの各階乗場には乗りかごの位置をランプの点灯で表示するインジケータが設けられており、ストーカが乗場でインジケータを見れば乗客の居住階床を知ることができ、居住階床で乗りかごから降りたときにストーカに襲われることがある。これを防止するために、各階のインジケータを表示させないように消灯する提案がある(特許第４０１２１２０号公報参照)。
【００６８】
しかしこの提案では、居住者の居住階床を知られないためにインジケータを消灯させるので、インジケータのランプ切れとの区別がつかず、エレベータが故障していると誤解される恐れがある。
この点前記実施形態ではインジケータの表示灯を点滅させるので、インジケータの表示灯を消灯させたときと異なり、インジケータの表示灯が球切れしたと誤解されることがない。
【００６９】
さらに前記実施形態では、自動ドアの外側にカードリーダなどの居住者照合装置を設置して、居住者照合装置と認証情報記憶部により乗客が集合住宅の居住者であることを認証すると、自動ドア開指令部により自動ドアを開放する構成になっているから、居住者の集合住宅への入館からエレベータを利用した住居階床への移動までが、安心してかつスムーズに行われる。
【符号の説明】
【００７０】
１：マンション
２：自動ドア
３：居住者
４：認証カード
５：カードリーダ
６：乗りかご
８：監視カメラ
９：インジケータ
１０：端末装置
１０Ａ，１１Ａ，１２Ａ：通信部
１１：エレベータ運行制御装置
１２：監視装置
１３：端末制御部
１３Ａ：通常動作指令部
１３Ｂ：防犯動作指令部
１４：記憶部
１４Ａ：認証コード記憶部
１４Ｂ：防犯監視登録者記憶部
１５：自動ドア開指令部
１６：かご運行制御部
１６Ａ：玄関階呼び寄せ指令部
１６Ｂ：かご呼び登録指令部
１６Ｃ：インジケータ表示指令部
１７：監視制御部
１７Ａ：表示制御部
１８：記録部
１９：表示部
１９Ａ：通常監視画面
１９Ｂ：防犯監視画面
【図１】
2016011181.tif 000003
【図２】
2016011181.tif 000004
【図３】
2016011181.tif 000005
【図４】
2016011181.tif 000006